(57)【特許請求の範囲】
【請求項１】
黒状態を改良する反射型ライトバルブであって、
透明な上基板と下基板と、
前記上基板と前記下基板に挟まれた、液晶分子にディレクタ軸のあるねじれネマティック液晶層と、
前記ねじれネマティック液晶層の下側に置かれ、前記下基板に前記ディレクタ軸が投射されたとき、エッジが前記ねじれネマティック液晶層の下部の前記ディレクタ軸に平行か垂直のいずれかである反射電極と、前記液晶分子の向きを決めるアライメント層と、
を含み、
前記反射電極の選択されたエッジに傾斜が付けられたことにより、ポスト回りの領域が非反射領域と重なるようにされた、反射型ライトバルブ。
【請求項２】
前記下基板の前記アライメント層がラビングされる方向の水平方向または垂直方向からねじれ角度だけ回転される第１の方向に前記上基板をラビングすることにより、前記液晶分子が配向されて、前記ディレクタ軸が前記反射電極の前記エッジと平行か垂直のいずれかと揃う、請求項１記載の反射型ライトバルブ。
【請求項３】
イメージの水平軸、垂直軸と直線をなす方向に対する前記反射電極の前記エッジの向きを回転させて変更することにより、前記ディレクタ軸と前記エッジとが平行か垂直のいずれかに整列する、請求項１記載の反射型ライトバルブ。
【請求項４】
イメージの水平軸、垂直軸と直線をなす方向に対する前記反射電極のエッジの向きを回転させて４５°と１３５°に変更する、請求項３記載の反射型ライトバルブ。
【請求項５】
前記反射電極に鋸歯状エッジがある、請求項１記載の反射型ライトバルブ。
【請求項６】
投射装置であって、
偏光を反射型ライトバルブに送る照射装置と、
前記照射装置から偏光を受け取り、前記偏光を前記偏光が液晶分子にディレクタ軸のあるねじれネマティック液晶層を抜けるときに回転させる該液晶層を持つ、前記反射型ライトバルブと、を含み、
前記反射型ライトバルブは、
黒状態を改良する反射型ライトバルブであって、
透明な上基板と下基板と、
前記上基板と前記下基板に挟まれた前記ねじれネマティック液晶層の下側に置かれ、前記下基板に前記ディレクタ軸が投射されたとき、エッジが前記ねじれネマティック液晶層の下部の前記ディレクタ軸に平行か垂直のいずれかである反射電極と、前記液晶分子の向きを決めるアライメント層と、
を含み、
前記反射電極の選択されたエッジに傾斜が付けられたことにより、ポスト回りの領域が非反射領域と重なるようにされた反射型ライトバルブを含む、
投射装置。
【請求項７】
前記投射装置は複数の前記反射型ライトバルブを含む、
請求項６記載の投射装置。
【請求項８】
前記投射装置は、
前記照射装置と前記ライトバルブの間に置かれ、偏光を回転させて予め選択された配向にする半波長回転板を含む、請求項６記載の投射装置。
【請求項９】
前記投射装置は、
前記照射装置と前記ライトバルブの間に置かれ、偏光を回転させて予め選択された配向にするねじれセルを含む、請求項６記載の投射装置。
【請求項１０】
前記投射装置は、
前記照射装置と前記ライトバルブの間に置かれ、偏光を回転させて予め選択された配向にする、光学的に活性な媒体を含む、請求項６記載の投射装置。
【請求項１１】
前記投射装置は、
前記照射装置と前記ライトバルブの間に置かれ、前記照射装置から入力された偏光の色毎に、偏光を回転させて予め選択された配向にする、複屈折を調整可能な電子光学的媒体を含む、請求項６記載の投射装置。
【発明の詳細な説明】
【０００１】
【発明の属する技術分野】
本発明は、分子がミラー背面のピクセル・エッジと整列するねじれネマティックＬＣ層を含み、コントラストが改良され、黒（ブラック）状態でスペーサ・ポストの可視性が低下する反射型液晶（ＬＣ）ライトバルブに関する。
【０００２】
【従来の技術】
投射型（投射型またはプロジェクションとも言うことがある）ディスプレイ向けの反射型ライトバルブが普及している。反射型ライトバルブは、ピクセル開口率の減少を比較的小さくして小型化できるので、投射装置もこれに応じて小型化でき、コストも削減される。４５°ねじれ、５４°ねじれモード等のねじれ（ツイステッド）ネマティック液晶（ＴＮＬＣ）層をベースにした反射型ライトバルブは、開発が進んでいるＬＣ技術を利用し、白黒や中間のグレイ・イメージの領域を再生する際、比較的低い駆動電圧で適度な光学反応を示す。しかし、黒状態でのイメージの表示は、後述する不完全性を示す。従来、前述した装置は、ライトバルブのピクセルのｘ、ｙ軸と直線をなす方向に偏光する光によって照射される。つまり、入射電界はピクセル・エッジに平行または垂直である。次に、ミラー背面の電界が、この入射方向に対するねじれ角度だけ回転される。例えば、背面の偏光は、ピクセル・エッジに対して４５°または５４°回転される。
【０００３】
背面（バックプレーン）の形状は通常、水平、垂直のミラー電極エッジを含み、ピクセル・ミラーは行列の形に配置され、投射イメージのピクセルが形成される。散乱光はエッジによってデポラライズ（消偏光）する傾向がある。ピクセル電極形状による散乱からのデポラリゼーションを避けるには、背面での偏光を、４５°や５４°に配向するのではなく、水平または垂直にすることが望ましい。このようなデポラリゼーションによって、不要な光が黒状態のイメージに加わり、白（ホワイト）状態のイメージからは有効な光が排除される。この散乱光を生じるピクセルは、イメージ情報を伝える回折次数と同じ周期性を持つので、レーザ照射源の場合には可能としても、デポラライズした光を空間フィルタリングにより取り除くことは不可能である。
【０００４】
背面でＬＣ分子の配向を得る最も一般的な製造工程は、アライメント層のラビング工程である。ラビング工程では、ライトバルブのセル・ギャップが、ミラー・ピクセルの境界に置かれたスペーサ・ポストにより維持される。スペーサ・ポスト技術の主なメリットは、セル・ギャップを極めて正確に制御できることである。しかし、スペーサ・ポストには、近くのＬＣのアライメントを乱すという欠点がある。ポストのすぐ側に隣接した、ポストの影響を受けるＬＣの部分により偏光が変化した入射光は、おおよそピクセル・ミラーを分ける低反射層により吸収される。従って、ポストにかなり近い領域では、影響を受けるＬＣは、表示されるイメージに対してほとんど効果がない。残念ながら、外乱の影響を受けるＬＣの領域は、アライメント層のラビング方向にかなり延伸する（〜１０μｍ）ことがある。これまでの反射型ＴＮライトバルブでは、このラビング方向は、暗いピクセル境界に対して４５°等の角度であり、ミラー上の領域でＬＣ障害が見える状態になる。
【０００５】
【発明が解決しようとする課題】
分子がミラー背面でピクセル・エッジと揃い、コントラストと効率が改良され、黒状態でのスペーサ・ポストの可視性が低下したねじれネマティック液晶（ＬＣ）層を含むライトバルブを提供すること。
【０００６】
【課題を解決するための手段】
本発明は、背面がピクセル・エッジと直線をなす方向にラビングされる液晶（ＬＣ）構造を対象にしている。ＬＣ層のねじり回転と複屈折は従来のＴＮライトバルブと同じにされる。ライトバルブの上部ガラスは、従って、背面がラビングされる水平方向または垂直方向からねじれ角度だけ回転される方向にラビングされる。
【０００７】
更に、本発明では、照射と集光を所望の偏光方向で行ういくつかの方法を開示している。
【０００８】
第４に、従来の配向のＰＢＳや１−ＰＢＳの光学系は、光学系とライトバルブの間に置かれる精密色消し半波長位相差板と共に使用できる。
【０００９】
第５に、ＰＢＳや１−ＰＢＳの光学系は、従来の配向で、入力偏光を回転させるねじり層と共に使用できる。
【００１０】
第６に、ＰＢＳや１−ＰＢＳの光学系は、従来の配向で、入力偏光を回転させる光学的活性層と共に使用できる。
【００１１】
前記の本発明の実施例では、入力偏光とＬＣ構造が、回転されないピクセル電極の水平／垂直エッジの向きに回転される。また、ピクセル電極のエッジが回転されて、従来の配向に保たれたＬＣ構造と整列する実施例も可能である。
【００１２】
この他の本発明の特徴やメリット及び本発明の様々な実施例の構造や動作については、添付の図を参照しながら以下に詳述する。図中、同様の参照符号は同じ要素または機能的に同様の要素を示す。
【００１３】
【発明の実施の形態】
図８及び図９は、本発明の好適実施例のライトバルブ構造の概略図である。図８は、透明な上基板１と下基板６に挟まれた液晶層４を示す。液晶分子の向きは、アライメント層５、７により決まる。図９は、図８に示したライトバルブ構造の内部、つまり上基板（図８の１）のない構造を示す。反射型ピクセル電極１０はＬＣ層４の下側に置かれる。上下の基板（図８の１及び６）の間隔はポスト１１により維持される。ＬＣ分子の配向の概略は、ＬＣ層４の上面の矢印２から下部の矢印３までの一連の矢印で示している。矢印の上から下へのねじれ配向は、ＬＣのねじれを表す。下基板６のＬＣ分子軸とラビング方向は、背面の分子の小さいプレティルトを除いてピクセル電極１０のエッジに揃えられる。矢印は、実際には、水平面に対するＬＣディレクタの投射を表す。入力偏光は、上基板１の投射されたＬＣディレクタに対して平行または垂直である。
【００１４】
所望の結果を得るため、本発明には２種類の実施例がある。最初の実施例クラスの光学系、つまり偏光は、従来の装置に対して回転される。このクラスの実施例では、液晶層は、偏光で回転されるが、ピクセルは変化しない。もう１つのクラスの実施例では、ピクセル・エッジの構造に、例えば、鋸歯状のエッジを加える、エッジの向きを回転させる等により変更が加えられる。
【００１５】
最初の好適実施例の偏光は、従来の光学系に対して回転される。前述のように所望の偏光方向で照射・集光が可能な光学系はいくつかあり、以下で詳述する。
【００１６】
従来の投射装置は、ほとんどが、偏光ビームスプリッタ（ＰＢＳ）によってイメージ形成ビームを入力照射から分けている。この種の最も簡単な装置は、１つのライトバルブとＰＢＳを使用する。ライトバルブはＰＢＳの１面に隣接し、ＰＢＳキューブは、その外側エッジがピクセル・イメージ・グリッドのｘ、ｙ軸と直線をなすように配向される。
【００１７】
本発明に従った１ライトバルブの投射装置は、図１１を参照して詳述する。このようにして所望の照射偏光が得られる。ライトバルブに隣接したキューブ面の２つのエッジは、次に、ライトバルブの入力面のＬＣの向きに揃えられる。例えば、４５°のねじれライトバルブは、通常通り、水平、垂直のピクセル軸に揃えることができ、隣接するＰＢＳキューブは水平方向から４５°の向きに回転される。ＰＢＳは、その幅がライトバルブの対角線になるように通常よりも大きくする必要がある。このような構成では、一般にはＰＢＳのサイズを大きくする必要がある。
【００１８】
同様のレイアウトを、２つのライトバルブを１つのＰＢＳで使用するプロジェクタに使用できる。このレイアウトのＰＢＳは、好適には、当業者には周知のタイプのいずれかである。このような装置は、L. Liらによる"High Efficiency Projection Displays Having Thin Film Polarizing Beam-Splitters"、World Patent WO9807279（1998）、L. LiとJ. Dobrowolskiによる"Thin Film Polarizing Device"、World Patent WO9707418（1997）及びA. E. Rosenbluthによる"Use of Air Spaces as Unit-Index Films in Large Bandwidth Interference Coatings"、IBM Technical Disclosure Bulleting 12-89（1989）、57ページ乃至59ページに開示されている。
【００１９】
３つのライトバルブを使用するプロジェクタには、シンプルなＰＢＳよりも複雑なビーム分割／再結合用のプリズム・アセンブリが必要である。このような従来のライトバルブ向けの多要素プリズム・アセンブリは、以下の手順により、本発明のライトバルブに適したレイアウトに変換することができる。照射偏光は、本発明のライトバルブに適した向きに回転するようにすることができる。次に、第２、第３のライトバルブ位置が、回転した光学系の対応する面の前に変更され、面は、回転分だけずらされる。この構成は、具体的には、ライトバルブの回転によってイメージが回転し、系全体の回転によってイメージが回転して垂直方向に戻る。一般に、プリズム系は、ライトバルブの対角線に及ぶ光線を集めるのに、構成要素が充分広くなるように大きくする必要がある。
【００２０】
図１０は、1994年のSID Symposium Digest of Technical Papersの677ページにBurstynらにより発表され、本発明に使用するために採用できる系を示す。系は、Texas Instrumentsのデジタル・マイクロミラー・デバイス（ＤＭＤ）の傾斜方向に対応するために４５°に配向される。系には、色を組み合わせるためにプランビコン・プリズムが使用される。本発明に使用するには、内部全反射（ＴＩＲ）プリズム６２をＰＢＳに置き換える必要がある。
【００２１】
図１１は、本発明の第１好適実施例の光学系の構成を示す。図１１に示す構成は、４５°回転される系を含む。光学系は回転される。１つの色は、照射源から分割されてＰＢＳ１２２に導入され、ライトバルブ１２４の照射源を提供する。残り２つの照射色は、ダイクロイック１２６により分離され、ＰＢＳ１２８、１３０に導かれ、ここでライトバルブ１１０、１３２を照射する。３つのライトバルブから反射されたイメージはｘプリズム１１８により再結合される。
【００２２】
ＰＢＳキューブのみ回転することで、図１２に示すように、投射レンズに必要な後焦点距離を短くした光学系を形成することができる。白光照射ビーム３０００は、偏光して、ＤＢＥＦ膜等から形成される偏光ミラー３００２を通過する。Ｘキューブ３００４の前面３００６は、４分の１波長位相差板（ＱＷＰ）と緑のダイクロイックで被覆される。これらのコーティングは、緑の照射光を、戻り経路でＤＢＥＦミラー３００２から反射するように回転される偏光でＤＢＥＦミラー３００２に反射する。緑の照射光は、従ってＰＢＳ３００８に向けられ、そこでライトバルブ３０１０が照射される。その間、赤と青のイメージ成分は、緑ダイクロイック３００６と第２ＱＷＰを通過して、Ｘキューブ３００４の対角線ダイクロイックにより分離される。次に、ミラー３０１２、３０１４によりＰＢＳ３０２８、３０３０に向けられ、そこでライトバルブ３０２４、３０３２が照射される。３つの照射チャネルの経路長は、リレー・レンズ（図示せず）により等しくされる。破線３０２２は、ビーム３０００を通る照射経路が取るべき配向を示す。Ｘキューブ３０１８による再結合の後に、照射された領域が同じ配向になるには、緑チャネルのダブル反射が必要である。
【００２３】
本発明の別の実施例では、ＰＢＳではなく、ＤＢＥＦ反射型偏光板により、入力ビームと出力ビームが分けられる。ＤＢＥＦ膜には固有の偏光軸がある。従って、従来の系のＰＢＳキューブの多層斜辺コーティングをＤＢＥＦ偏光板に変更した場合、ＤＢＥＦ膜は、斜辺面内で回転でき、その通過軸は所望の、４５°等の向きになる。このＤＢＥＦ膜はまた、空中の偏光板としても機能する。
【００２４】
本発明の他の実施例では、ビームスプリッタではなく傾斜照射により、入力ビームと出力ビームが分けられる。図１３は、A. E. RosenbluthとK. C. Hoによる米国特許出願第０９／０８５０６５号（出願人整理番号：ＹＯ９９８０５４）"Lightvalve Projection System in Which Red、Green、and Blue Image Subpixels Are Projected from Two Lightvalves and Recombined Using Total Reflection Prisms"にも開示されている例で、ビームスプリッタ以外のビーム分割要素を示す。図１３で、ライトバルブ６０８、６１０の本発明の系を採用するために、つまり、４５°等の配向の所望の偏光で照射を行うために、偏光板６１２、６１６の後に半波長板６１８、６２０が置かれる。ＴＩＲプリズム６１４のＡＲコーティングは、偏光クロストークを避けるために位相を制御する必要がある。
【００２５】
図１４及び図１５は、本発明のライトバルブに使用する傾斜照射型の他の好適光学系を示す。図１４及び図１５に示されるこの光学系は、M. BoneらによりProceedings of the 1998 Strategic Display Symposiumの42ページに発表されている。ｘプリズム１１０６により白光ビームが分割され、３つのライトバルブ１１０８ａ、１１０８ｂ、１１０８ｃが傾斜角度で照射される。光は、好適には、ｘプリズム１１０６を通してＳ偏光されるが、入力偏光板１１０４の後に置かれた半波長板１１０２によって、本発明のライトバルブに適した４５°等の配向で回転される。Boneらによる光学系は、半波長板１１０２及び、ｘプリズム１１０６の上半分で再結合するために、半波長板１１１０により変更される。Ｘキューブは、好適には、ダイクロイック・コーティングを通した拡散伝播によって生じる色の階調をなくす。
【００２６】
図１７は、照射光を４５°等の所望の角度の向きにまで回転させるため、本発明に使用される他の光学系を示す。図示の通り、従来の光学系１２２２と本発明のライトバルブ１２２４、１２２６、１２２８の間に、半波長回転板１２３０、１２３２、１２３４が置かれる。通常、各波長板は高精度で、各色帯域で無色化されるので、楕円の照射偏光が生じない。
【００２７】
他の光学系として、Maugin限度で動作するネマティックＬＣ層等のねじれセルがある。これは前記の半波長回転板１２３０、１２３２、１２３４の代わりに使用できる。
【００２８】
他の系には、回転板１２３０、１２３２、１２３４等の電子光学的回転板を採用できる。これには、複屈折を電気的に調整できるという利点がある。広帯域動作のライトバルブには、カラー・シーケンシャル系のように、背面の電界が、スペクトルの中央の波長についてのみ、ラビング方向に正確に偏光され、他の波長については、偏光の回転が変更されるか、または楕円にされる。このスペクトル変形は、投射される色帯域にもとづいて回転板に応用される駆動電圧を調整することで、部分的に訂正される。
【００２９】
更に、回転板１２３０、１２３２、１２３４として、光学的に活性な媒体を使用できる。活性媒体に複屈折がない場合（塩素酸ナトリウム結晶等）、厚みを少し変化させると、配向のみわずかに変化する。楕円は生じない。ライトバルブのコントラストは、同じ振幅の誘導楕円に比べて、誘導回転の影響を受けにくい。
【００３０】
第２のクラスの本発明の実施例は、ピクセル・エッジ構成の変更を伴う。投射イメージのピクセルは、ほとんどの用途で行列の形に区切られる。つまりイメージ・ピクセルはｘ、ｙグリッドで均一に配置される。普通、ｘ、ｙの区切りの大きさは等しい。従来のミラー電極は、イメージ・ピクセルに一致する正方形である。反射面積を最大にするため、電極は相互にかなり近接して配置される。
【００３１】
電極のエッジが４５°、１３５°等の角度に配向されるときは、例え電極をイメージのｘ、ｙグリッドに区切る必要がある場合でも（つまり０°、９０°の軸に沿って）、反射面積を最大にすることが求められる。その場合、ピクセル電極の形状に歪みが生じるが、この歪みは、ピクセル密度が大きい高解像度用途では、個々のピクセルの形状は認識できないので、許容範囲内である。図１は、４５°、１３５°の配向のセグメントで構成される１００２等の鋸歯状エッジから形成される電極１０００のｘ、ｙグリッドを示す。ポスト１００３は、このようなセグメントの４つのペアの交差部に置かれる。
【００３２】
電極形状の比較的大きな歪みも、ピクセルが高い場合や、自然の景観等、表示されるイメージにコントラストの大きい形状のエッジがない用途では許容できよう。図２は、そのような用途に適した、４５°、１３５°に配向されたエッジから形成されるピクセル電極の配列を示す。電極２１０１、２２０１、２３０１、．．．は列１にある。ポスト１００３は、エッジの４つのペアの交差部にある。更に、図３乃至図５は図２のピクセル電極の行列のレイアウトを示す。
【００３３】
図６は、この種の他のレイアウトを示す。ねじり角度が４５°、入力偏光が０°または９０°に配向されるとき、図１乃至図６の構造からは、ライトバルブの背面を照射する偏光と直線をなす電極エッジが得られる。ねじれ角度が４５°ではない場合は、これらのレイアウトを、例えば、５４°、１４４°に配向されたセグメントを追加するように調整できる。ただし、ほとんどの用途で、例えば、５４°の配向の背面の電界と、４５°の電極エッジの間の９°の不一致は大きいものではない。
【００３４】
感度がこのように低いことから、先に開示した実施例で、フィーチャ・エッジの配向を少し調整することが可能になる。例えば、背面の偏光をイメージの水平軸、垂直軸に揃えるために、電極が正方形で、入力面のＬＣと入射偏光が、イメージの水平軸、垂直軸と直線をなす方向から、例えば４５°回転される基本的な実施例を考えてみる。この実施例では、電極を完全な正方形にする必要はない。電極エッジを正確に０°、９０°に配向する必要はないからである。背面偏光とおおよそ直線をなすだけでよい。図７は、ポスト４００４の周囲の外乱の影響を受けるＬＣから反射型ピクセルを離隔するため、各電極４００２の１エッジがわずかに傾斜した実施例を示す。均一性を保つため、ピクセルは全て面積が等しい。矢印４０２は、背面のラビングの方向を示す。各ポスト４００４回りの影響を受けるＬＣの領域は、ラビング方向に沿って配向されるので、電極４００２、４００８、４０１０、４０１２間のノッチ状の非反射領域４００６に重なる。
【００３５】
まとめとして、本発明の構成に関して以下の事項を開示する。
【００３６】
（１）黒状態を改良する反射型ライトバルブであって、
透明な基板と、
液晶分子にディレクタ軸のあるねじれネマティック液晶層と、
前記ねじれネマティック液晶層により前記透明基板から分けられ、前記ディレクタ軸が背面の表面に投射されたとき、エッジが前記液晶層の分子のディレクタ軸に平行か垂直のいずれかである反射電極を含む、前記背面と、
を含む、ライトバルブ。
（２）前記透明基板を、前記背面がラビングされる水平方向または垂直方向からねじれ角度だけ回転される第１の方向にラビングすることにより、前記ねじれネマティック液晶層の分子が、配向されて前記反射電極の水平エッジと垂直エッジのいずれかと揃う、前記（１）記載の反射型ライトバルブ。
（３）前記ねじれネマティック液晶層の分子と前記背面の電極エッジが、前記背面の電極エッジの回転により配向されて互いに整列する、前記（１）記載の反射型ライトバルブ。
（４）前記背面の電極エッジが回転されて４５°と１３５°に配向される、前記（３）記載の反射型ライトバルブ。
（５）前記各背面電極の選択されたエッジに傾斜が付けられた、前記（１）記載の反射型ライトバルブ。
（６）前記反射電極に鋸歯状エッジがある、前記（１）記載の反射型ライトバルブ。
（７）投射装置であって、
偏光を反射型ライトバルブに送る照射装置と、
前記照射装置から偏光を受け取り、前記偏光を前記偏光がねじれネマティック液晶層を抜けるときに回転させる該液晶層を持つ、前記反射型ライトバルブと、を含み、
前記反射型ライトバルブは、更に、前記液晶層の１側面に背面を含み、
前記背面は、前記偏光が前記液晶層を抜けたときに、回転した偏光に対してエッジが実質的に平行または垂直な反射電極を含む、
投射装置。
（８）前記照射装置は、
前記液晶層の配向と直線をなすように位置付けるために立方体のエッジが回転される偏光ビーム・スプリッタを含む、
前記（７）記載の投射装置。
（９）前記照射装置は、
エッジが前記反射型ライトバルブに対して予め選択された角度に配向される偏光ビーム・スプリッタを含む、
前記（７）記載の投射装置。
（１０）前記予め選択された角度は０°より大きい、
前記（９）記載の投射装置。
（１１）前記投射装置は複数の前記反射型ライトバルブを含む、
前記（７）記載の投射装置。
（１２）前記複数の反射型ライトバルブは、前記反射型ライトバルブに垂直な面が前記偏光ビーム・スプリッタの中央を通過するように位置付けられ、前記照射装置は予め選択された配向で前記垂直な面の回りを回転される、前記（１１）記載の投射装置。
（１３）前記照射装置は、
入力光ビームと出力光ビームを分け、回転されて予め選択された配向にされる、ＤＢＥＦ反射偏光板を含む、
前記（７）記載の投射装置。
（１４）前記照射装置は、
入力光ビームと出力光ビームを分ける複数のビーム分割要素と、
前記複数のビーム分割要素と前記ライトバルブの間に置かれ、予め選択された偏光配向で偏光照射光を生成する複数の半波長板と、
を含む、前記（７）記載の投射装置。
（１５）前記投射装置は、
前記照射装置と前記ライトバルブの間に置かれ、偏光を回転させて予め選択された配向にする半波長回転板を含む、前記（７）記載の投射装置。
（１６）前記投射装置は、
前記照射装置と前記ライトバルブの間に置かれ、偏光を回転させて予め選択された配向にするねじれセルを含む、前記（７）記載の投射装置。
（１７）前記投射装置は、
前記照射装置と前記ライトバルブの間に置かれ、偏光を回転させて予め選択された配向にする、光学的に活性な媒体を含む、前記（７）記載の投射装置。
（１８）前記投射装置は、
前記照射装置と前記ライトバルブの間に置かれ、前記照射装置から入力された偏光の色毎に、偏光を回転させて予め選択された配向にする、複屈折を調整可能な電子光学的媒体を含む、前記（７）記載の投射装置。
【図面の簡単な説明】
【図１】４５°、１３５°のセグメントで構成される１００２等の鋸歯状エッジから形成される電極１０００のｘ、ｙグリッドを示す図である。
【図２】４５°、１３５°のエッジから形成されるピクセル電極の配列を示す図である。
【図３】図２のピクセル電極の行列のレイアウトを示す図である。
【図４】図２のピクセル電極の行列のレイアウトを示す図である。
【図５】図２のピクセル電極の行列のレイアウトを示す図である。
【図６】ピクセル電極の別のレイアウトを示す図である。
【図７】ポスト周囲の外乱の影響を受けるＬＣから反射型ピクセルを隔離するために、各電極の１エッジにわずかな傾斜が付けられた実施例の図である。
【図８】本発明の好適実施例のライトバルブ構造を示す図である。
【図９】本発明の好適実施例のライトバルブ構造を示す図である。
【図１０】本発明のライトバルブに使用できる従来のライトバルブを使用した従来の投射装置の図である。
【図１１】好適実施例での本発明の光学系を示す図である。
【図１２】ＰＢＳキューブだけが回転される本発明の光学系を示す図である。
【図１３】本発明のライトバルブが投射装置に対応するように投射装置に半波長板を位置付ける図である。
【図１４】本発明のライトバルブに使用する好適な光学系を示す図である。
【図１５】本発明のライトバルブに使用する好適な光学系を示す図である。
【図１６】図１３乃至図１５に示す本発明の実施例の特徴を組み合わせたレイアウトの図である。
【図１７】所望の配向を得るため照射光を回転させる光学的方法を用いた本発明の光学系の図である。
【符号の説明】
６２  内部全反射（ＴＩＲ）プリズム
１１０、１２４、１３２、６０８、６１０、１１０８ａ、１１０８ｂ、１１０８ｃ、１２２４、１２２６、１２２８、３０１０、３０２４、３０３２  ライトバルブ
６１２、６１６  偏光板
６１４  ＴＩＲプリズム
６１８、６２０、１１０２、１１１０  半波長板
１２２２  光学系
１２３０、１２３２、１２３４  半波長回転板
３００４、３０１８，４０１８  Ｘキューブ
【図１】
0003759366.tif 000002
【図２】
0003759366.tif 000003
【図３】
0003759366.tif 000004
【図４】
0003759366.tif 000005
【図５】
0003759366.tif 000006
【図６】
0003759366.tif 000007
【図７】
0003759366.tif 000008
【図８】
0003759366.tif 000009
【図９】
0003759366.tif 000010
【図１０】
0003759366.tif 000011
【図１１】
0003759366.tif 000012
【図１２】
0003759366.tif 000013
【図１３】
0003759366.tif 000014
【図１４】
0003759366.tif 000015
【図１５】
0003759366.tif 000016
【図１６】
0003759366.tif 000017
【図１７】
0003759366.tif 000018